【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
スクランブリングシーケンスの指示を、第1のデータ単位のシグナルフィールドの中へ挿入するステップであって、前記シグナルフィールドは、前記第1のデータ単位の中でサービスフィールドの前に出現し、前記スクランブリングシーケンスは、ビーコンインターバルの開始または終了に対する前記第1のデータ単位の送信のタイミングに少なくとも部分的に基づいて決定される、ステップと、
前記第1のデータ単位の少なくとも一部分を、前記第1のデータ単位の前記シグナルフィールドの中の、前記スクランブリングシーケンスの前記挿入された指示に少なくとも基づいて、スクランブルするステップと、
送信装置を介して前記第1のデータ単位を送信するステップであって、前記シグナルフィールドは、第1のデータレートで送信され、前記サービスフィールドは、前記第1のデータレートよりも速い第2のデータレートで送信されるステップと
を備える方法。
【請求項２】
前記スクランブリングシーケンスの前記指示は、前記スクランブリングシーケンスを示すスクランブラシードまたは1つもしくは複数のパラメータのいずれかを備える、請求項1に記載の方法。
【請求項３】
第2のデータ単位の少なくとも一部分をスクランブルするステップと、
前記第2のデータ単位を送信するステップであって、前記第2のデータ単位は、前記第1のデータ単位の少なくとも一部分の再送信を含むステップと
を備える請求項1に記載の方法。
【請求項４】
前記第2のデータ単位の前記少なくとも一部分は、前記第1のデータ単位の前記シグナルフィールドの中の、前記スクランブリングシーケンスの前記挿入された指示に基づいてスクランブルされる、請求項3に記載の方法。
【請求項５】
前記第2のデータ単位の前記少なくとも一部分は、前記第2のデータ単位のシグナルフィールドの中へ挿入されたスクランブリングシーケンスの指示に基づいてスクランブルされる、請求項3に記載の方法。
【請求項６】
第2のデータ単位の少なくとも一部分をスクランブルするステップと、
前記第2のデータ単位を送信するステップであって、前記第2のデータ単位は、前記第1のデータ単位に関連付けられたパリティデータ単位を備えるステップと
を備える請求項1に記載の方法。
【請求項７】
前記第1のデータ単位の前記少なくとも一部分をスクランブルする前に、前記第1のデータ単位によって運ばれるデータを符号化するステップと、
前記第2のデータ単位の前記少なくとも一部分をスクランブルする前に、前記第2のデータ単位によって運ばれるデータを符号化するステップと
を備える請求項6に記載の方法。
【請求項８】
ワイヤレス通信のための装置であって、
スクランブリングシーケンスの指示を、第1のデータ単位のシグナルフィールドの中へ挿入し、
前記第1のデータ単位の少なくとも一部分を、前記第1のデータ単位の前記シグナルフィールドの中の、前記スクランブリングシーケンスの前記挿入された指示に少なくとも基づいて、スクランブルする
ように構成されるプロセッサであって、前記シグナルフィールドは、前記第1のデータ単位の中でサービスフィールドの前に出現し、前記スクランブリングシーケンスは、ビーコンインターバルの開始または終了に対する前記第1のデータ単位の送信のタイミングに少なくとも部分的に基づいて決定される、プロセッサと、
前記第1のデータ単位を送信するように構成される送信機であって、前記シグナルフィールドは、第1のデータレートで送信され、前記サービスフィールドは、前記第1のデータレートよりも速い第2のデータレートで送信される、送信機と
を備え、
る装置。
【請求項９】
前記プロセッサは、前記スクランブリングシーケンスを示すスクランブラシードまたは1つもしくは複数のパラメータのいずれかを備える前記指示を挿入するように構成される、請求項8に記載の装置。
【請求項１０】
前記プロセッサは、第2のデータ単位の少なくとも一部分をスクランブルするように構成され、
前記送信機は、前記第2のデータ単位を送信するように構成され、前記第2のデータ単位は、前記第1のデータ単位の少なくとも一部分の再送信および前記第1のデータ単位に関連付けられたパリティデータ単位のうちの1つを含む、
請求項8に記載の装置。
【請求項１１】
前記プロセッサは、前記第2のデータ単位の前記少なくとも一部分を、前記第1のデータ単位の前記シグナルフィールドの中の、前記スクランブリングシーケンスの前記挿入された指示に基づいて、スクランブルするように構成される、請求項10に記載の装置。
【請求項１２】
前記プロセッサは、前記第2のデータ単位の前記少なくとも一部分を、前記第2のデータ単位のシグナルフィールドの中へ挿入されたスクランブリングシーケンスの指示に基づいて、スクランブルするように構成される、請求項10に記載の装置。
【請求項１３】
前記プロセッサは、
前記第1のデータ単位の前記少なくとも一部分をスクランブルする前に、前記第1のデータ単位によって運ばれるデータを符号化し、
前記第2のデータ単位の前記少なくとも一部分をスクランブルする前に、前記第2のデータ単位によって運ばれるデータを符号化する
ようにさらに構成される、請求項10に記載の装置。
【請求項１４】
ワイヤレス通信のための方法であって、
第1のデータレートで受信されるシグナルフィールドと、前記第1のデータレートよりも速い第2のデータレートで受信されるサービスフィールドとを含む、第1のデータ単位を、受信装置を介して受信するステップであって、前記シグナルフィールドは、前記第1のデータ単位の中で前記サービスフィールドの前に受信されるステップと、
前記第1のデータ単位の少なくとも一部分を、前記第1のデータ単位の前記シグナルフィールドの中に挿入されているスクランブリングシーケンスの指示に少なくとも基づいて、
デスクランブルするステップであって、前記スクランブリングシーケンスは、ビーコンインターバルの開始または終了に対する前記第1のデータ単位の送信のタイミングに少なくとも部分的に基づいて決定される、ステップと、
を備える方法。
【請求項１５】
前記スクランブリングシーケンスの前記指示は、前記スクランブリングシーケンスを示すスクランブラシードまたは1つもしくは複数のパラメータのいずれかを備える、請求項14に記載の方法。
【請求項１６】
第2のデータ単位を受信するステップと、
前記第2のデータ単位の少なくとも一部分をデスクランブルするステップであって、前記第2のデータ単位は、前記第1のデータ単位の少なくとも一部分の再送信および前記第1のデータ単位に関連付けられたパリティデータ単位のうちの1つを備えるステップと
を備える請求項14に記載の方法。
【請求項１７】
前記第2のデータ単位の前記少なくとも一部分は、前記第1のデータ単位の前記シグナルフィールドの中の、前記スクランブリングシーケンスの前記挿入されている指示に基づいてデスクランブルされる、請求項16に記載の方法。
【請求項１８】
前記第2のデータ単位の前記少なくとも一部分は、前記第2のデータ単位のシグナルフィールドの中へ挿入されているスクランブリングシーケンスの指示に基づいてデスクランブルされる、請求項16に記載の方法。
【請求項１９】
前記第1のデータ単位の前記シグナルフィールドの中の、前記スクランブリングシーケンスの前記挿入されている指示と、前記第2のデータ単位の前記シグナルフィールドの中の、前記スクランブリングシーケンスの前記挿入されている指示との間の差異を補償するステップと、
前記第1のデータ単位と前記第2のデータ単位とを組み合わせるステップと
をさらに備える請求項16に記載の方法。
【請求項２０】
前記第1のデータ単位の前記少なくとも一部分をデスクランブルした後、前記第1のデータ単位によって運ばれるデータを復号するステップと、
前記第2のデータ単位の前記少なくとも一部分をデスクランブルした後、前記第2のデータ単位によって運ばれるデータを復号するステップと
をさらに備える請求項16に記載の方法。
【請求項２１】
ワイヤレス通信のための装置であって、
シグナルフィールドとサービスフィールドとを含む第1のデータ単位を受信するように構成される受信機であって、第1のデータレートよりも速い第2のデータレートで前記サービスフィールドを受信する前に、前記第1のデータレートで前記シグナルフィールドを受信するように構成される前記受信機と、
前記第1のデータ単位の少なくとも一部分を、前記第1のデータ単位の前記シグナルフィールドの中に挿入されているスクランブリングシーケンスの指示に少なくとも基づいて、
デスクランブルするように構成されるプロセッサであって、前記スクランブリングシーケンスは、ビーコンインターバルの開始または終了に対する前記第1のデータ単位の送信のタイミングに少なくとも部分的に基づいて決定される、プロセッサと
を備える、装置。
【請求項２２】
前記スクランブリングシーケンスの前記指示は、前記スクランブリングシーケンスを示すスクランブラシードまたは1つもしくは複数のパラメータのいずれかを備える、請求項21に記載の装置。
【請求項２３】
前記受信機は、第2のデータ単位を、前記第1のデータ単位の少なくとも一部分の再送信および前記第1のデータ単位に関連付けられたパリティデータ単位のうちの1つとして受信するように構成される、請求項21に記載の装置。
【請求項２４】
前記プロセッサは、前記第2のデータ単位の少なくとも一部分を、前記第1のデータ単位の前記シグナルフィールドの中の、前記スクランブリングシーケンスの前記挿入されている指示に基づいて、デスクランブルするように構成される、請求項23に記載の装置。
【請求項２５】
前記プロセッサは、前記第2のデータ単位の少なくとも一部分を、前記第2のデータ単位のシグナルフィールドの中に挿入されているスクランブリングシーケンスの指示に基づいて、デスクランブルするように構成される、請求項23に記載の装置。
【請求項２６】
前記プロセッサは、
前記第1のデータ単位の前記シグナルフィールドの中の、前記スクランブリングシーケンスの前記挿入されている指示と、前記第2のデータ単位の前記シグナルフィールドの中の、前記スクランブリングシーケンスの前記挿入されている指示との間の差異を補償し、
前記第1のデータ単位と前記第2のデータ単位とを組み合わせる
ように構成される、請求項25に記載の装置。
【請求項２７】
前記プロセッサは、
前記第1のデータ単位の前記少なくとも一部分をデスクランブルした後、前記第1のデータ単位によって運ばれるデータを復号し、
前記第2のデータ単位の前記少なくとも一部分をデスクランブルした後、前記第2のデータ単位によって運ばれるデータを復号する
ように構成される、請求項21に記載の装置。